(57)【特許請求の範囲】
【請求項１】
エレベータのカゴ室に固定されるエレベータのカゴドア装置において、
カゴドア装置本体と、
前記カゴ室の天井の上に載置されるとともに前記カゴドア装置本体を前記天井に連結する調整機構と
を備え、
前記調整機構は、前記カゴ室に対して左右方向及び前後方向に位置合せする機構を有し、
前記カゴドア装置本体は、前記調整機構に対して左右方向に位置合せする機構を有することを特徴とするエレベータのカゴドア装置。
【請求項２】
前記調整機構は、前記カゴドア装置本体に設けられる穴を貫通することにより前記カゴドア装置本体を引っ掛けて仮止めするフックを有することを特徴とする請求項１に記載のエレベータのカゴドア装置。
【請求項３】
前記調整機構は、正面の水平方向の中心に垂直方向を視認可能な目印が設けられることを特徴とする請求項１に記載のエレベータのカゴドア装置。
【請求項４】
前記垂直方向を視認可能な目印は、ケガキ線または溝であることを特徴とする請求項３に記載のエレベータのカゴドア装置。
【発明の詳細な説明】
【技術分野】
【０００１】
この発明は、エレベータのカゴドア装置に関するものである。
【背景技術】
【０００２】
従来、エレベータのカゴ室にカゴドア装置を据付けるとき、カゴドア装置は調整機構を介して、カゴ枠に固定される。そして、調整機構はカゴドア装置の両端に位置する位置に設置され、カゴ室の天井に上がって左右に移動して作業をする（例えば、特許文献１参照）。
【先行技術文献】
【特許文献】
【０００３】
【特許文献１】実公昭５８−４９３３４号公報
【発明の概要】
【発明が解決しようとする課題】
【０００４】
上述のように、カゴ枠に調整機構が固定されているので、乗場側から作業することができないので、カゴ室の天井に上がって左右に移動して作業しているが、カゴ室の上には多くの機器があり、足場の悪い中で左右に移動しながらの作業となるので、据付作業に多くの時間がかかるという問題がある。
また、カゴドア装置本体と調整機構とが一体で取付けるため、一体の質量が約５０ｋｇある重量物を動かしながら調整しているし、カゴ枠にボルトで調整機構を仮固定する際、片手でカゴドア装置全体を支えながら、もう一方の片手でボルトを締結するため作業員に大きな負担がかかっている。
【０００５】
この発明は、前記のような課題を解決するためになされたものであり、据付作業を簡略化して、作業員の負荷を軽減させ、据付時間の短縮を図ることを目的とする。
【課題を解決するための手段】
【０００６】
この発明に係るエレベータのカゴドア装置は、エレベータのカゴ室に固定されるエレベータのカゴドア装置において、カゴドア装置本体と、前記カゴ室の天井の上に載置されるとともに前記カゴドア装置本体を前記天井に連結する調整機構とを備え、前記調整機構は、前記カゴ室に対して左右方向及び前後方向に位置合せする機構を有し、前記カゴドア装置本体は、前記調整機構に対して左右方向に位置合せする機構を有する。
【発明の効果】
【０００７】
この発明に係るエレベータのカゴドア装置は、カゴドア装置全体と比較したら軽量物である調整機構を天井の所定の位置に固定し、その後にカゴドア装置本体を調整機構に引っ掛けるので、調整機構を天井の上で滑らせて移動することが出来て、作業が容易になる。
【図面の簡単な説明】
【０００８】
【図１】この発明の実施の形態１に係るカゴドア装置の調整機構の外形図である。
【図２】この発明の実施の形態１に係るカゴドア装置のカゴドア装置本体の外形図である。
【図３】据付作業を開始する前に位置合わされたカゴ室である。
【図４】カゴ室の天井に調整機構を仮設置したときの外形図である。
【図５】調整機構の上下方向及び前後方向の位置を調整する前に位置合せされたカゴ室である。
【図６】調整機構の上下方向の位置を調整する様子を示す図である。
【図７】調整機構の前後方向の位置を調整する様子を示す図である。
【図８】カゴドア装置本体を調整機構に固定する様子を示す図である。
【図９】調整機構の剛性を高めた調整機構の外観図である。
【発明を実施するための形態】
【０００９】
以下、本発明のカゴドア装置の好適な実施の形態につき図面を用いて説明する。
実施の形態１．
図１は、この発明の実施の形態１に係るカゴドア装置の調整機構の外形図である。図２は、この発明の実施の形態１に係るカゴドア装置のカゴドア装置本体の外形図である。
この発明の実施の形態１に係るカゴドア装置は、エレベータのカゴ室２１の天井２２に固定する調整機構１及び調整機構１に固定するカゴドア装置本体２を備える。
【００１０】
この発明の実施の形態１に係る調整機構１は、図１に示すように、断面がＬ字状であるとともに、断面の１辺を含むカゴ固定板３ａがカゴ室２１の天井２２に固定されるとともに断面の他の１辺を含む本体固定板３ｂにカゴドア装置本体２が固定されるアングル３と、アングル３の本体固定板３ｂから法線方向に延びる辺を含む本体保持板４ａ及び本体保持板４ａの先端から直角に延びる辺を含む本体係止板４ｂを有する保持フック４とを備える。
【００１１】
アングル３のカゴ固定板３ａには、固定用穴５が空けられている。アングル３の本体固定板３ｂには、ネジ穴６が空けられている。アングル３の本体固定板３ｂの上端面３ｃには、アングル３の長さ方向の中央に長さ方向と直交するＶ字カット７が設けられている。アングル３の本体固定板３ｂには、Ｖ字カット７の底部からアングル３の長さ方向と直交するケガキ線８が描かれている。固定用穴５は、貫通するボルト２４の径より大きな内径になっている。
【００１２】
カゴドア装置本体２の上部には、図２に示すように、カゴ扉の開閉方向に平行な角穴１１と、ボルト取付用穴１２と、対角線の一方がカゴ扉の開閉方向に平行であるとともに対角線の他方がカゴ扉の開閉方向に垂直である菱形穴１３が空けられている。ボルト取付用穴１２は、貫通するボルト２４の径より大きな内径になっている。
カゴ室２１の天井２２には、図示しないが、調整機構１のカゴ固定板３ａの第１固定用穴５に対応するボルト穴が空けられている。
【００１３】
次に、カゴドア装置をカゴ室２１に据付ける方法を説明する。
カゴドア装置をカゴ室２１に据付ける前に、カゴ室２１は正確に据付けてある。そして、図３に示すように、カゴ室２１の天井２２が出入口２３から見える位置にカゴ室２１を停止する。
第１の手順として、図４に示すように、カゴ室２１の天井２２の上に調整機構１のカゴ固定板３ａが天井２２に接するように載せ、ボルト２４で調整機構１を天井２２に仮固定する。
第２の手順として、図３に示すように、出入口２３の上面の幅方向の中心を通るように錘２５を糸２６で吊下げて鉛直線２７を見出す。それから、ボルト２４を緩めて、調整機構１のＶ字カット７の底が鉛直線２７上に位置するように調整機構１を左右に移動して合わせてから仮固定する。
【００１４】
第３の手順として、図５に示すように、カゴ室２１を所定の位置に上昇する。それから、図６に示すように、出入口２３の上面から調整機構１の本体固定板３ｂの上端面までの距離Ａを測定する。この出入口２３の上面から調整機構１の本体固定板３ｂの上端面までの距離Ａについては設計値が予め設定されているので、ボルト２４を緩めてから、その設計値に合わすようにはさみ金２８を挿入し、距離Ａが設計値に合せ仮固定する。
【００１５】
第４の手順として、図７に示すように、カゴ敷居線２９と調整機構１の本体固定板３ｂとの距離Ｂを測定する。このカゴ敷居線２９と調整機構１の本体固定板３ｂとの距離Ｂについては設計値が予め設定されているので、ボルト２４を緩めてから、その設計値に合わすように調整機構１を移動し、距離Ｂが設計値に合ったら固定する。
このような手順により調整機構１がカゴ室２１の天井２２の所定の位置に設置される。
【００１６】
第５の手順として、図８に示すように、カゴドア装置本体２の角穴１１を調整機構１の保持フック４に掛け、ボルト２４をボルト取付用穴１２を貫通し、調整機構１のネジ穴６に螺旋止めして仮固定する。このとき、カゴドア装置本体２の上下方向の位置は、正確に位置合せした調整機構１の保持フック４の上面に角穴１１の上面が接するので、所望の位置と一致する。また、カゴドア装置本体２の前後方向の位置も、正確に前後方向に位置合せした調整機構１の本体固定板３ｂにカゴドア装置本体２が接するので、所望の位置と一致する。一方、カゴドア装置本体２の左右方向の位置は、仮固定しただけでは所望の位置に一致していない。そこで、ボルト２４を緩め、菱形穴１３の中心をケガキ線８が通過するようにカゴドア装置本体２を移動し、合ったらボルト２４を締め付けてカゴドア装置本体２を調整機構１に固定される。
【００１７】
この発明の実施の形態１に係るカゴドア装置は、カゴドア装置全体と比較したら軽量物である調整機構１を天井２２の所定の位置に固定し、その後にカゴドア装置本体２を調整機構１に引っ掛けるので、調整機構１を天井２２の上で滑らせて移動することが出来て、作業が容易になる。また、軽量物であることから、調整機構１を常に支えながら作業する必要は無く、両手で作業が可能になる。
【００１８】
また、調整機構１が軽量物であるため、自分の手で動かすことができ、作業が行いやすい。また、調整機構１の中心にＶ字カット７を設けたことで、調整機構１の中心を鋼尺等の治具を使用することなく、分かることができる。
【００１９】
また、調整機構１が軽量物であるため、自分の手で動かすことができ、ジャッキボルトを使用することなく、調整が可能である。
【００２０】
また、カゴドア装置本体２を保持フック４に一時的に引っ掛ける構造とすることで、両手を離すことができる。また、調整機構１とカゴドア装置本体２の左右方向の調整の際に菱形穴１３とケガキ線８を使用することで、鋼尺等の治具を使用することなく、調整が可能である。
【００２１】
なお、調整機構１を構成する部材の板厚を厚くしたり、図９に示すように、補強を追加したりすることで、調整機構１の剛性を高めることができる。
また、本発明は機械室の有無、ローピングの種類、戸開閉方法などによる制限はなく、全ての機種に適用が可能である。
また、調整機構１の中心垂直方向を視認可能なケガキ線８の代わりに溝を用いてカゴドア装置本体２と調整機構１の中心を揃えても良い。
【符号の説明】
【００２２】
１  調整機構、２  カゴドア装置本体、３  アングル、３ａ  カゴ固定板、３ｂ  本体固定板、３ｃ  上端面、４  保持フック、４ａ  カゴ固定板、４ｂ  本体係止板、５  固定用穴、６  ネジ穴、７  Ｖ字カット、８  ケガキ線、１１  角穴、１２  ボルト取付用穴、１３  菱形穴、２１  カゴ室、２２  天井、２３  出入口、２４  ボルト、２５  錘、２６  糸、２７  鉛直線、２８  はさみ金、２９  カゴ敷居線。
【図１】
0005606375.tif 000002
【図２】
0005606375.tif 000003
【図３】
0005606375.tif 000004
【図４】
0005606375.tif 000005
【図５】
0005606375.tif 000006
【図６】
0005606375.tif 000007
【図７】
0005606375.tif 000008
【図８】
0005606375.tif 000009
【図９】
0005606375.tif 000010